(57)【要約】【課題】電気スイッチとスイッチ駆動回転体とを操作部フレームに取り付け、それとは分離して、操作部カバー外から回転操作されてスイッチ駆動回転体を回転させる回転伝達部材を操作部カバー側に設けることで、水密性と組立容易性を確保することができ、しかも、回転操作を常にスムーズに行うことができる電子内視鏡の操作部を提供すること。【解決手段】操作部フレーム４側に設けられたスイッチ駆動回転体１２と操作部カバー３側に設けられた回転伝達部材２０との対向部の一方の側に、軸線位置に対して偏心した位置で他方側に向かって突出する係合ピン１３が設けられ、他方側に、係合ピン１３がスライド自在に係合する係合溝２１が軸線に対する周方向以外の方向に向けて細長く設けられ、係合ピン１３と係合溝２１との係合により回転伝達部材２０の回転運動がスイッチ駆動回転体１２に伝達されるようにした。【選択図】      図１
2008136715.tif 000002
【特許請求の範囲】
【請求項１】
電気スイッチと、軸線周りに回転して上記電気スイッチをオン／オフさせるスイッチ駆動回転体とが操作部フレームに取り付けられると共に、それとは分離して、上記操作部フレームに対して着脱自在な操作部カバーに、上記操作部カバー外から回転操作されて上記スイッチ駆動回転体を回転させる回転伝達部材が、上記スイッチ駆動回転体と略同一軸線周りに回転自在に上記スイッチ駆動回転体に対向して設けられ、
上記スイッチ駆動回転体と上記回転伝達部材との対向部の一方の側に、上記軸線位置に対して偏心した位置で他方側に向かって突出する係合ピンが設けられ、上記他方側に、上記係合ピンがスライド自在に係合する係合溝が上記軸線に対する周方向以外の方向に向けて細長く設けられ、上記係合ピンと上記係合溝との係合により上記回転伝達部材の回転運動が上記スイッチ駆動回転体に伝達されるようにしたことを特徴とする電子内視鏡の操作部。
【請求項２】
上記回転伝達部材が、上記操作部カバーの外部に対して水密にシールされた状態で、上記操作部カバーの内側部分に配置されている請求項１記載の電子内視鏡の操作部。
【発明の詳細な説明】
【技術分野】
【０００１】
この発明は電子内視鏡の操作部に関する。
【背景技術】
【０００２】
電子内視鏡の操作部は一般に、操作者が手で握って保持するためのグリップ部が下半部に形成されて、上半部には各種の操作部材が配置されている。そのような各種の操作部材のうち、モニタ画面に表示される内視鏡観察画像の倍率を連続的に任意に変化させる電子ズーム操作スイッチは、単純なオン／オフの切り換えではなくてオフ状態から拡大と縮小の両方の操作がある。
【０００３】
しかも電子ズーム操作スイッチは、拡大と縮小の各々の操作中は倍率が連続して変化を続け、適宜の状態で操作を止めるとそこで倍率の変化が止まるという、他の電気スイッチよりやや複雑な機能を有している。
【０００４】
そこで従来は、電子ズーム操作スイッチとして、根元部分を支点に揺動するレバー状のトグルスイッチを立設して用いていた（例えば、特許文献１）。
【特許文献１】特開２０００−２０１８８２
【発明の開示】
【発明が解決しようとする課題】
【０００５】
従来用いられているトグルスイッチの類は、操作位置が操作者の指先から遠くなって操作性が悪くなりがちであるだけでなく、水密構造にするのが面倒で水密性が不完全になりがちであった。
【０００６】
その方策として、軸線周りに回転操作される回転スイッチをトグルスイッチに代えて採用することが考えられるが、回転操作部分が取り付けられる操作部カバーに電気スイッチまで一体に取り付けると、電気スイッチに連なるリード線が操作部カバー側に引きずられる状態になる等して、組み立て性が極めて悪くなってしまう。
【０００７】
そこで、電気スイッチとその電気スイッチをオン／オフさせるスイッチ駆動回転体とを操作部フレームに取り付けると共に、それとは分離して、操作部カバー外から回転操作されてスイッチ駆動回転体を回転させる回転伝達部材を、操作部カバー側に設ける構成を採ることが考えられる。
【０００８】
ただしその場合には、操作部フレームに対する操作部カバーの取り付け誤差等により、回転伝達部材とスイッチ駆動回転体との係合が渋くなってスムーズに回転操作できなくなるおそれがある。
【０００９】
本発明は、電気スイッチとその電気スイッチをオン／オフさせるスイッチ駆動回転体とを操作部フレームに取り付けると共に、それとは分離して、操作部カバー外から回転操作されてスイッチ駆動回転体を回転させる回転伝達部材を操作部カバー側に設けることで、水密性と組立容易性を確保することができ、しかも、回転操作を常にスムーズに行うことができる電子内視鏡の操作部を提供することを目的とする。
【課題を解決するための手段】
【００１０】
上記の目的を達成するため、本発明の電子内視鏡の操作部は、電気スイッチと、軸線周りに回転して電気スイッチをオン／オフさせるスイッチ駆動回転体とが操作部フレームに取り付けられると共に、それとは分離して、操作部フレームに対して着脱自在な操作部カバーに、操作部カバー外から回転操作されてスイッチ駆動回転体を回転させる回転伝達部材が、スイッチ駆動回転体と略同一軸線周りに回転自在にスイッチ駆動回転体に対向して設けられ、スイッチ駆動回転体と回転伝達部材との対向部の一方の側に、軸線位置に対して偏心した位置で他方側に向かって突出する係合ピンが設けられ、他方側に、係合ピンがスライド自在に係合する係合溝が軸線に対する周方向以外の方向に向けて細長く設けられ、係合ピンと係合溝との係合により回転伝達部材の回転運動がスイッチ駆動回転体に伝達されるようにしたものである。
【００１１】
なお、回転伝達部材が、操作部カバーの外部に対して水密にシールされた状態で、操作部カバーの内側部分に配置されているとよい。
【発明の効果】
【００１２】
本発明によれば、操作部フレーム側に設けられたスイッチ駆動回転体と操作部カバー側に設けられた回転伝達部材との対向部の一方の側に、軸線位置に対して偏心した位置で他方側に向かって突出する係合ピンが設けられ、他方側に、係合ピンがスライド自在に係合する係合溝が軸線に対する周方向以外の方向に向けて細長く設けられ、係合ピンと係合溝との係合により回転伝達部材の回転運動がスイッチ駆動回転体に伝達されるので、水密性と組立容易性を確保することができ、しかも、回転伝達部材とスイッチ駆動回転体との間に少々の芯ずれ等があっても回転伝達が渋くならず、回転操作を常にスムーズに行うことができる。
【発明を実施するための最良の形態】
【００１３】
電気スイッチと、軸線周りに回転して電気スイッチをオン／オフさせるスイッチ駆動回転体とが操作部フレームに取り付けられると共に、それとは分離して、操作部フレームに対して着脱自在な操作部カバーに、操作部カバー外から回転操作されてスイッチ駆動回転体を回転させる回転伝達部材が、スイッチ駆動回転体と略同一軸線周りに回転自在にスイッチ駆動回転体に対向して設けられ、スイッチ駆動回転体と回転伝達部材との対向部の一方の側に、軸線位置に対して偏心した位置で他方側に向かって突出する係合ピンが設けられ、他方側に、係合ピンがスライド自在に係合する係合溝が軸線に対する周方向以外の方向に向けて細長く設けられ、係合ピンと係合溝との係合により回転伝達部材の回転運動がスイッチ駆動回転体に伝達される。
【実施例】
【００１４】
以下、図面を参照して本発明の実施例を説明する。
図２は、図示されていない挿入部の先端に内視鏡観察像を撮像するための固体撮像素子が配置された電子内視鏡の操作部１を示している。操作部１の下半部は操作者が左手で保持するためのグリップ部１ａになっており、上半部には、湾曲操作ノブ２等各種の操作部材が配置されている。
【００１５】
３は、操作部１の上端部分のみを外装する上端部用の操作部カバーであり、その前後両面には、図示されていないビデオプロセッサ等の電子機器を遠隔操作するためのリモートコントロールスイッチ１０，１０′が配置されている。
【００１６】
回転操作される方のリモートコントロールスイッチ１０は、図示されていないテレビモニタに表示される内視鏡観察画像の倍率を無段階に変化させるための電子ズーム操作スイッチであり、操作部カバー３の壁面に対して垂直な軸線を中心に時計回りと反時計回りの任意の方向に回転操作されて、一方の方向に回転させた状態を保持するとその間は倍率が大きくなり続け、他方の方向に回転させた状態を保持するとその間は倍率が小さくなり続けるように機能する。
【００１７】
図３は電子ズーム操作スイッチ１０部分の縦断面図、図４は、図３と９０°向きを相違させた方向からの縦断面図である。操作部カバー３は、操作部フレーム４に対してカバー固定ボルト５によって着脱自在にビス止め固定されている。６は、カバー固定ボルト５の外周部をシールするＯリング、７は、操作部カバー３と操作部フレーム４との境界部をシールするＯリングである。
【００１８】
カバー固定ボルト５は、操作部フレーム４に対して直接ねじ止めされているのではなく、操作部フレーム４にフレーム連結ボルト９で固定された補助フレーム８にねじ孔が形成されていて、そのねじ孔にカバー固定ボルト５が螺脱自在に螺合している。
【００１９】
図３、図４及び分解斜視図である図１にも示されるように、補助フレーム８には通常はオフの二つの電気スイッチ１１Ａ，１１Ｂが取り付けられている。その一方の電気スイッチ１１Ａは、オンになっている時にテレビモニタ画面上での内視鏡観察画像の表示倍率を拡大させ続けるための拡大スイッチであり、他方の電気スイッチ１１Ｂは、オンになっている時に表示倍率を縮小させ続けるための縮小スイッチである。
【００２０】
補助フレーム８には、そのような二つの電気スイッチ１１Ａ，１１Ｂをオン／オフさせるスイッチ駆動回転体１２が、支軸１２ａによって回転自在に取り付けられている。即ち、二つの電気スイッチ１１Ａ，１１Ｂとスイッチ駆動回転体１２とが、補助フレーム８を介して操作部フレーム４に取り付けられた状態になっている。
【００２１】
スイッチ駆動回転体１２には、支軸１２ａを中心に回動することによって二つの電気スイッチ１１Ａ，１１Ｂの一方をオン／オフさせる（即ち、時計回りと反時計回りの一方の方向では拡大用の電気スイッチ１１Ａのみをオンにし、他方の方向では縮小用の電気スイッチ１１Ｂのみをオンにする）スイッチ押圧部１２ｂが突出形成されると共に、支軸１２ａの軸線から偏心した位置に、支軸１２ａと平行方向に操作部カバー３の内壁面方向に向けて短円柱状の係合ピン１３が突設されている。
【００２２】
図３及び図４に示されるように、操作部カバー３に穿設されたスイッチ取り付け孔には、略円柱状のシリンダ体１４が、スイッチ駆動回転体１２の支軸１２ａの軸線の略延長線上に軸線が位置するように固定ナット１５で固定されている。１６は、その取り付け部をシールするＯリングである。
【００２３】
シリンダ体１４内には、軸線周りに回転自在に略円柱状のピストン体１７が嵌挿されていて、その外端部側に操作用指当て１８が突出形成されている。１９は、シリンダ体１４との嵌合面をシールするようにピストン体１７に取り付けられたＯリングである。
【００２４】
操作部カバー３内に位置するピストン体１７の内端面には、スイッチ駆動回転体１２を回転駆動するための例えば円盤状の回転伝達部材２０が、スイッチ駆動回転体１２に対向する状態に、固定ビス（図１の符号２３）等によって一体的に連結固定されている。
【００２５】
このようにして、回転伝達部材２０は操作部カバー３の外部に対して水密にシールされた状態で、操作部カバー３の内側部分にスイッチ駆動回転体１２に対向して配置されていて、操作用指当て１８が外部から回転操作されると、回転伝達部材２０がスイッチ駆動回転体１２の軸線と略同一軸線周りに回転する。
【００２６】
そのような回転伝達部材２０の裏面（スイッチ駆動回転体１２に対して対向する面）には、係合ピン１３がスライド自在に係合する直線溝状の係合溝２１が形成されている。図１に示されるように、この実施例の係合溝２１は、回転伝達部材２０の直径位置に真っ直ぐに形成されており、係合ピン１３は、その係合溝２１内にガタつきが発生しない程度の緩さで単に嵌め込まれた状態になっている。
【００２７】
このようにして、操作部カバー３側に取り付けられた回転伝達部材２０と、それと分離して操作部フレーム４側に取り付けられたスイッチ駆動回転体１２とが係合溝２１と係合ピン１３で係合しており、その係合により、回転伝達部材２０の回転運動がスイッチ駆動回転体１２に伝達される。その結果、操作用指当て１８を回転操作することにより、二つの電気スイッチ１１Ａ，１１Ｂを選択的にオン／オフさせることができる。
【００２８】
このように構成された実施例の電子ズーム操作スイッチ１０においては、図５に示されるように、操作部カバー３側に設けられた回転伝達部材２０の軸線２０ｘと操作部フレーム４側に設けられたスイッチ駆動回転体１２の軸線（正確には支軸１２ａの軸線）１２ｘの位置が製造誤差等によってずれる場合がある。
【００２９】
しかし、回転伝達部材２０からスイッチ駆動回転体１２への回転運動の伝達が係合溝２１と係合ピン１３との係合によって行われるので、回転伝達部材２０の軸線２０ｘとスイッチ駆動回転体１２の軸線１２ｘとの間にずれがあっても、図６及び図７に示されるように、回転伝達部材２０の回転が支障なくスイッチ駆動回転体１２に伝達されて、二つの電気スイッチ１１Ａ，１１Ｂを選択的にスムーズにオン／オフさせることができる。
【００３０】
なお、本発明は上記実施例に限定されるものではなく、例えば係合溝２１は必ずしも回転伝達部材２０の直径に相当する向きや長さに形成する必要はなく、回転伝達部材２０の軸線２０ｘに対する周方向以外の方向に向けてある程度の長さ（即ち、製造誤差を吸収できる程度の長さ）に細長く形成されていればよい。また、回転伝達部材２０側に係合ピン１３を設けてスイッチ駆動回転体１２側に係合溝２１を形成してもよく、本発明を電子ズーム操作スイッチ１０以外の回転スイッチに適用することもできる。
【図面の簡単な説明】
【００３１】
【図１】本発明の実施例の電子ズーム操作スイッチの分解斜視図である。
【図２】本発明の実施例の電子内視鏡の操作部の斜視図である。
【図３】本発明の実施例の電子ズーム操作スイッチの縦断面図である。
【図４】本発明の実施例の電子ズーム操作スイッチの、図３と９０°向きを相違させた方向からの縦断面図である。
【図５】本発明の実施例の電子ズーム操作スイッチの透視図である。
【図６】本発明の実施例の電子ズーム操作スイッチの拡大スイッチをオンさせた状態の透視図である。
【図７】本発明の実施例の電子ズーム操作スイッチの縮小スイッチをオンさせた状態の透視図である。
【符号の説明】
【００３２】
１  操作部
３  操作部カバー
４  操作部フレーム
８  補助フレーム
１０  電子ズーム操作スイッチ
１１Ａ，１１Ｂ  電気スイッチ
１２  スイッチ駆動回転体
１２ａ  支軸
１２ｘ  軸線
１３  係合ピン
１７  ピストン体
１８  操作用指当て
２０  回転伝達部材
２０ｘ  軸線
２１  係合溝
【図１】
2008136715.tif 000003
【図２】
2008136715.tif 000004
【図３】
2008136715.tif 000005
【図４】
2008136715.tif 000006
【図５】
2008136715.tif 000007
【図６】
2008136715.tif 000008
【図７】
2008136715.tif 000009